(57)【要約】【課題】相手の無線装置との間における通信異常が発生した場合に、その状況をコストの無用な上昇を招くことなく認識させることのできる無線装置を提供すること。【解決手段】テスト通信の指示を受けたテスト送信手段Ａによってテスト用警報データが他の無線装置に無線で送信されると、これに呼応して受信先の無線装置３により無線で送信された、テスト用警報データの受信強度を示す受信強度データが受信されて、その受信した受信強度データの示す受信強度の内容に相当する受信強度信号が、第２の受信強度報知手段Ｄにより音声又は表示により報知される。【選択図】図１
2007104214.tif 000002
【特許請求の範囲】
【請求項１】
警報状態又は故障状態の検出時に該警報状態又は故障状態を音声又は表示により報知すると共に、前記警報状態又は故障状態の内容を示す報知信号の外部からの入力時に該報知信号の示す前記警報状態又は故障状態を音声又は表示により報知する警報器に接続され、該警報器が外部との間で授受する信号を無線で送受信すると共に、音声又は表示による出力手段を有する受信強度検査用端末機器が前記警報器に代えて接続され、該受信強度検査用端末機器の接続中に、他の無線装置との間で無線通信を行い、該無線通信における前記他の無線装置の受信強度を検査する無線装置であって、
テスト通信の指示を受けてテスト用警報データを他の無線装置に無線で送信するテスト送信手段と、
前記テスト用警報データの受信時に、該テスト用警報データの受信強度を示す受信強度データを送信する応答手段と、
前記他の無線装置からの前記受信強度データの受信時に、該他の無線装置による前記テスト用警報データの受信強度を接続先の前記受信強度検査用端末機器の前記出力手段に音声又は表示により報知させるための、前記受信強度データの示す前記他の無線装置による前記テスト用警報データの受信強度を示す受信強度信号を、接続先の前記受信強度検査用端末機器に出力する受信強度報知手段と、
を備えることを特徴とする無線装置。
【請求項２】
外部との間で信号を授受する端末機器に接続されて前記信号を無線で送受信する無線装置と無線通信を行い、該無線通信における前記無線装置の受信強度を検査する携帯無線端末であって、
テスト通信の指示を受けてテスト用警報データを前記無線装置に無線で送信するテスト送信手段と、
前記テスト用警報データに呼応して前記無線装置が無線で送信する、前記テスト用警報データの受信強度を示す受信強度データの受信時に、該無線装置による前記テスト用警報データの受信強度を音声又は表示により報知する第２の受信強度報知手段と、
を備えることを特徴とする携帯無線端末装置。
【発明の詳細な説明】
【技術分野】
【０００１】
本発明は、警報状態や故障状態の検出時にその状態を音声又は表示により報知する警報器に接続されて、その警報器が外部との間で授受する信号を無線で送受信する無線装置の無線の受信強度を検査する装置に関するものである。
【背景技術】
【０００２】
例えばガス漏れ警報器により検知したガス漏れの発生を遠隔地のセンタに自動通報する場合や、複数のガス漏れ警報器どうしを接続してガス漏れを検出したガス漏れ警報器以外のガス漏れ警報器においても警報を出力させる場合等に、それぞれに無線装置を接続しこれを経由して、ガス漏れ警報器の相互間の通信を無線で行うようにした無線通信システムが、従来から種々提案されている。
【０００３】
上記したような無線通信システムでは、ガス漏れ警報器に接続した無線装置の相互間に通信異常が生じると、必要な情報が相手側に伝達されず、特にガス漏れ等の警報状態を警報器が検出した際の情報が相手側に伝達されないと、充分なセキュリティー監視を実行できなくなってしまう。
【０００４】
そこで、無線装置間の通信異常時にその旨を無線装置のＬＥＤの点灯、点滅パターンで表示するようにしたものが、従来から提案されている（例えば特許文献１）。
【特許文献１】特開２００４−１５３６８号公報
【発明の開示】
【発明が解決しようとする課題】
【０００５】
ところが、一度設置してしまうと位置が固定となる無線装置の分野では、周辺の環境が変わらない限り、無線装置の通信状態が設置後に変化することはなく、よって、通信異常の有無を設置時に調べてしまえば、その後に改めて調べる必要性はない。
【０００６】
にもかかわらず、従来技術のようなＬＥＤを各無線装置にそれぞれ設けるとなると、設置後には恒久的な必要性のないものによって装置コストの上昇を招いてしまう。
【０００７】
本発明は前記事情に鑑みなされたもので、本発明の目的は、ガス漏れ警報器のような警報器に接続されてその警報器が授受する情報の無線による送受を行う無線装置において、相手の無線装置との間における通信異常が発生した場合に、その状況を、コストの無用な上昇を招くことなく認識させることのできる無線装置と携帯無線端末装置とを提供することにある。
【課題を解決するための手段】
【０００８】
上記目的を達成するために請求項１に記載した本発明の無線装置は、図１の基本構成図に記載したように、警報状態又は故障状態の検出時に該警報状態又は故障状態を音声又は表示により報知すると共に、前記警報状態又は故障状態の内容を示す報知信号の外部からの入力時に該報知信号の示す前記警報状態又は故障状態を音声又は表示により報知する警報器１，４に接続され、該警報器１，４が外部との間で授受する信号を無線で送受信すると共に、音声又は表示による出力手段５３，５５を有する受信強度検査用端末機器５が前記警報器１，４に代えて接続され、該受信強度検査用端末機器５の接続中に、他の無線装置との間で無線通信を行い、該無線通信における前記他の無線装置の受信強度を検査する無線装置であって、テスト通信の指示を受けてテスト用警報データを他の無線装置に無線で送信するテスト送信手段Ａと、前記テスト用警報データの受信時に、該テスト用警報データの受信強度を示す受信強度データを送信する応答手段Ｂと、前記他の無線装置からの前記受信強度データの受信時に、該他の無線装置による前記テスト用警報データの受信強度を接続先の前記受信強度検査用端末機器５の前記出力手段５３，５５に音声又は表示により報知させるための、前記受信強度データの示す前記他の無線装置による前記テスト用警報データの受信強度を示す受信強度信号を、接続先の前記受信強度検査用端末機器５に出力する受信強度報知手段Ｃとを備えることを特徴とする。
【０００９】
また、請求項２に記載した本発明の携帯無線端末装置は、図２の基本構成図に記載したように、外部との間で信号を授受する端末機器４に接続されて前記信号を無線で送受信する無線装置３と無線通信を行い、該無線通信における前記無線装置３の受信強度を検査する携帯無線端末であって、テスト通信の指示を受けてテスト用警報データを前記無線装置３に無線で送信するテスト送信手段Ａと、前記テスト用警報データに呼応して前記無線装置３が無線で送信する、前記テスト用警報データの受信強度を示す受信強度データの受信時に、該無線装置３による前記テスト用警報データの受信強度を音声又は表示により報知する第２の受信強度報知手段Ｄとを備えることを特徴とする。
【発明の効果】
【００１０】
図１に示すように、請求項１に記載した本発明の無線装置によれば、受信強度検査用端末機器５の接続中に、テスト通信の指示を受けたテスト送信手段Ａによってテスト用警報データが他の無線装置に無線で送信されると、これを受信した他の無線装置の応答手段Ｂによって送信された、テスト用警報データの受信強度を示す受信強度データが受信されて、その受信した受信強度データの示す受信強度の内容に相当する受信強度信号が、受信強度報知手段Ｃにより接続先の受信強度検査用端末機器５に出力され、これにより、他の無線装置によるテスト用警報データの受信強度が接続先の受信強度検査用端末機器５の出力手段５３，５５によって音声又は表示により報知されることになる。
【００１１】
このため、各無線装置にＬＥＤ等を設けてコストの上昇を招くことなく、通信状態の変化による通信異常の発生の危険性があるのかどうかの判断に有用な受信強度の情報を、確実に認知させることができる。
【００１２】
また、図２に示すように、請求項２に記載した本発明の携帯無線端末装置によれば、テスト通信の指示を受けたテスト送信手段Ａによってテスト用警報データが無線装置３に無線で送信されると、これに呼応して無線装置３によって送信された、テスト用警報データの受信強度を示す受信強度データが受信されて、その受信した受信強度データの示す受信強度の内容が、第２の受信強度報知手段Ｄによって音声又は表示により報知されることになる。
【００１３】
このため、各無線装置にＬＥＤ等を設けてコストの上昇を招くことなく、通信状態の変化による通信異常の発生の危険性があるのかどうかの判断に有用な受信強度の情報を、確実に認知させることができる。
【００１４】
以下、本発明の実施形態について図面を参照しながら説明する。
【００１５】
図３はガス漏れ警報器どうしを無線で相互に接続して無線通信を行う自動連携システムに本発明の一実施形態に係る無線装置を用いた場合の構成を示すブロック図、図４は図３の自動連携システムにおける無線ユニットの構成例を示すブロック図である。
【００１６】
図３に示す本実施形態の自動連携システムは、ガス漏れ警報器１，４（請求項中の警報器に相当。）と、ガス漏れ警報器１，４にそれぞれ接続された無線ユニット２，３（請求項中の無線装置に相当。）とを含む。ガス漏れ警報器１，４と無線ユニット２，３は一つの建物の異なる場所にそれぞれ設置され、各無線ユニット２，３が無線通信を相互に行うことで、警報の相互報知動作を行う。
【００１７】
ガス漏れ警報器１，４は、都市ガスやプロパンガスの成分を検出するセンサによりガスを検知して警報信号（請求項中の報知信号に相当。）を生成、出力する従来公知のものであり、検知時に音声（警報音、警報メッセージ）により報知する機能を内蔵している。
【００１８】
なお、ガス漏れ警報器１，４の音声報知機能は、自身がガスの漏洩や火災の発生を検知した場合だけでなく、無線ユニット２，３を介して外部から入力される信号（他の無線ユニット２，３に接続されたガス漏れ警報器１，４から出力される警報信号に基づいた警報報知信号）によっても作動させることができる。
【００１９】
無線ユニット２，３は、図４に示すように、通信用高周波回路部ＲＦと変復調処理用デジタル処理回路部ＤＰと制御用マイクロコンピュータ部（以下、「マイコン部」と略記する。）μＣＯＭとをワンチップ化した集積回路ＬＳＩと、ガス漏れ警報器１，４がそれぞれ接続されるポートＰｉｏと、不揮発性メモリＮＶＭと、通信用高周波回路部ＲＦに接続されたアンテナＡＴとを有しており、不揮発性メモリＮＶＭとテスト通信スイッチＳＷはマイコン部μＣＯＭに接続されている。
【００２０】
なお、不揮発性メモリＮＶＭには、無線ユニット２，３が外部との無線通信において使用する自己の識別情報や、ガス漏れ警報器１，４が出力する警報信号のパルス波形パターンとそれにより示される警報内容（例えばガス漏れ、火災発生等）とを関連づけたテーブル、及び、後述するテスト用警報データの受信強度とこれを示す受信強度データや受信強度信号の内容とを関連づけたテーブルが、予め登録されている。
【００２１】
そして、上述した無線ユニット２，３に各々接続されたガス漏れ警報器１，４において警報状態が検出されると、自身において警報が音声等により出力されると共に、検出した警報状態に応じてパルス波形パターンの異なる警報信号が接続先の無線ユニット２，３に出力される。
【００２２】
すると、ポートＰｉｏから警報信号が入力された無線ユニット２，３において、警報信号のパルス波形パターンによって示される警報内容を示す警報発生データが、無線通信により送信される。
【００２３】
この警報発生データを他の受信した他の無線ユニット２，３では、自身に接続されたガス漏れ警報器１，４への警報報知信号の出力が行われ、警報状態を検出したガス漏れ警報器１，４と同じ建物内に設置されたガス漏れ警報器１，４において、他のガス漏れ警報器１，４において発生した警報状態の報知動作が、音声報知機能を用いて行われる。
【００２４】
以上のようにして無線ユニット２，３間で行われる無線通信の受信強度は、例えば、ガス漏れ警報器１に代えて受信強度検査用の端末機器を一時的に無線ユニット２に接続して動作させることで、詳細に知ることができる。
【００２５】
そして、図４のガス漏れ警報器１に代えて受信強度検査用の端末機器を一時的に無線ユニット２に接続した状態を示すのが図５のブロック図であり、受信強度検査用端末機器に相当する受信強度報知器５は、図６に示すように、無線ユニット３の受信強度測定のスタート時に操作されるスタートスイッチ５１と、受信強度表示用のＬＥＤ５３及びそのドライバ５３ａと、受信強度の音声出力用のブザー５５及びそのドライバ５５ａと、不揮発性メモリＮＶＭと、これらスタートスイッチ５１、ドライバ５３ａ，５５ａ、及び、不揮発性メモリＮＶＭが接続されるマイコン部５７とを有している。
【００２６】
なお、不揮発性メモリＮＶＭには、無線ユニット２が出力する受信強度信号のパルス波形パターンとそれにより示される無線ユニット３のテスト用警報データの受信強度の内容とを関連づけたテーブルが、予め登録されている。
【００２７】
そして、受信強度報知器５のマイコン部μＣＯＭでは、内部のＲＯＭ（図示せず）に格納された制御プログラムにしたがって、図７のフローチャートに示す処理を行う。
【００２８】
まず、スタートスイッチ５１が操作されたか否かを確認し（ステップＳ７１）、操作された場合は（ステップＳ７１でＹ）、テスト用警報開始データの出力要求信号を無線ユニット２に出力した後（ステップＳ７３）、ステップＳ７１にリターンする。
【００２９】
一方、スタートスイッチ５１が操作されていない場合は（ステップＳ７１でＮ）、接続先の無線ユニット２からそのポートＰｉｏを介して受信強度信号が入力されたか否かを確認し（ステップＳ７５）、入力されていない場合は（ステップＳ７５でＮ）、ステップＳ７１にリターンし、入力された場合は（ステップＳ７５でＹ）、入力された受信強度信号が示す受信強度に応じたパターンでＬＥＤ５３を点滅させるための駆動信号をドライバ５３ａに出力させると共に、同様のパターンでブザー５５を鳴動させるための駆動信号をドライバ５５ａに出力させた後（ステップＳ７７）、ステップＳ７１にリターンする。
【００３０】
そして、無線ユニット２のマイコン部μＣＯＭでは、内部のＲＯＭ（図示せず）に格納された制御プログラムにしたがって、第１実施形態の場合とは異なる、図８及び図９のフローチャートに示す処理を行う。
【００３１】
まず、図８に示すように、受信強度報知器５からのテスト用警報開始データの出力要求信号がポートＰｉｏに入力されたか否かを確認し（ステップＳ９１）、入力されていない場合は（ステップＳ９１でＮ）、後述するステップＳ１０７に進む。
【００３２】
一方、入力された場合は（ステップＳ９１でＹ）、他の無線ユニット３のポートＰｉｏに接続されているガス漏れ警報器４において、音声出力によるテストの警報の報知を開始させるためのテスト用警報開始データを、不揮発性メモリＮＶＭに登録された自己の識別情報と共に、変復調処理用デジタル処理回路部ＤＰにて変調して通信用高周波回路部ＲＦ乃至アンテナＡＴから無線送信させ（ステップＳ９３）、不図示のＲＡＭに設けたタイマエリアにおけるタイムカウントを開始する（ステップＳ９５）。
【００３３】
そして、タイムカウント値が所定のテスト警報時間（例えば１０秒）に達したか否かを確認し（ステップＳ９７）、テスト警報時間に達していない場合は（ステップＳ９７でＮ）、達するまでステップＳ９７をリピートする。
【００３４】
これに対し、タイムカウント値がテスト警報時間に達した場合は（ステップＳ９７でＹ）、他の無線ユニット３のポートＰｉｏに接続されているガス漏れ警報器４における、音声出力によるテストの警報の報知を終了させるためのテスト用警報終了データを、不揮発性メモリＮＶＭに登録された自己の識別情報と共に、変復調処理用デジタル処理回路部ＤＰにて変調して通信用高周波回路部ＲＦ乃至アンテナＡＴから無線送信させ（ステップＳ９９）、不図示のＲＡＭに設けたタイマエリアにおけるタイムカウントを終了する（ステップＳ１０１）。
【００３５】
そして、テスト用警報開始データやテスト用警報終了データを受信した他の無線ユニット３からの、それらのデータの受信強度を示す受信強度データが、アンテナＡＴ乃至通信用高周波回路部ＲＦで受信され変復調処理用デジタル処理回路部ＤＰにて復調されて入力されたか否かを確認し（ステップＳ１０３）、入力されていない場合は（ステップＳ１０３でＮ）、入力されるまでステップＳ１０３をリピートする。
【００３６】
これに対し、他の無線ユニット３からの受信強度データが入力された場合は（ステップＳ１０３でＹ）、その受信強度データの示す、他の無線ユニット３におけるテスト用警報開始データやテスト用警報終了データの受信強度を、ポートＰｉｏに接続されている受信強度報知器５において音声及び表示により報知させるための受信強度信号を生成して、ポートＰｉｏから受信強度報知器５に出力した後（ステップＳ１０５）、ステップＳ９１にリターンする。
【００３７】
また、ステップＳ９１において、受信強度報知器５からのテスト用警報開始データの出力要求信号がポートＰｉｏに入力されていない場合（Ｎ）に進むステップＳ１０７では、他の無線ユニット３からのテスト用警報開始データが、アンテナＡＴ乃至通信用高周波回路部ＲＦで受信され変復調処理用デジタル処理回路部ＤＰにて復調されて入力されたか否かを確認し、入力されていない場合は（ステップＳ１０７でＮ）、後述するステップＳ１１９に進む。
【００３８】
一方、他の無線ユニット３からのテスト用警報開始データが入力された場合は（ステップＳ１０７でＹ）、テスト用の警報である旨を、後に受信強度報知器５に代えてポートＰｉｏに接続されるガス漏れ警報器１において音声出力により報知させるためのテスト用警報報知信号を生成して、ポートＰｉｏからガス漏れ警報器１への出力を開始した後（ステップＳ１０９）、他の無線ユニット３からのテスト用警報終了データが、アンテナＡＴ乃至通信用高周波回路部ＲＦで受信され変復調処理用デジタル処理回路部ＤＰにて復調されて入力されたか否かを確認する（ステップＳ１１１）。
【００３９】
他の無線ユニット３からのテスト用警報終了データが入力されていない場合は（ステップＳ１１１でＮ）、入力されるまでステップＳ１１１をリピートし、入力された場合は（ステップＳ１１１でＹ）、ポートＰｉｏからガス漏れ警報器１へのテスト用警報報知信号の出力を終了する（ステップＳ１１３）。
【００４０】
そして、ステップＳ１０７におけるテスト用警報開始データやステップＳ１１１におけるテスト用警報終了データの受信強度を確認し（ステップＳ１１５）、確認した受信強度を示す受信強度データを、不揮発性メモリＮＶＭに登録された自己の識別情報と共に、変復調処理用デジタル処理回路部ＤＰにて変調して通信用高周波回路部ＲＦ乃至アンテナＡＴから無線送信させた後（ステップＳ１１７）、ステップＳ９１にリターンする。
【００４１】
また、ステップＳ１０７において、他の無線ユニット３からのテスト用警報開始データが入力されていない場合（Ｎ）に進むステップＳ１１９では、図９に示すように、ガス漏れ警報器１からの警報信号がポートＰｉｏに入力されたか否かを確認し、入力された場合は（ステップＳ１１９でＹ）、不揮発性メモリＮＶＭに登録されたテーブルを参照して、入力された警報信号のパルス波形パターンから発生した警報内容を判別する（ステップＳ１２１）。
【００４２】
そして、判別した警報信号の警報内容を示す警報発生データを、不揮発性メモリＮＶＭに登録された自己の識別情報と共に、変復調処理用デジタル処理回路部ＤＰにて変調して通信用高周波回路部ＲＦ乃至アンテナＡＴから無線送信させた後（ステップＳ１２３）、ステップＳ９１にリターンする。
【００４３】
これに対して、ステップＳ１１９においてガス漏れ警報器１からの警報信号がポートＰｉｏに入力されていない場合（Ｎ）は、他の無線ユニット３からの警報発生データが、アンテナＡＴ乃至通信用高周波回路部ＲＦで受信され変復調処理用デジタル処理回路部ＤＰにて復調されて入力されたか否かを確認する（ステップＳ１２５）。
【００４４】
他の無線ユニット３からの警報発生データが入力されていない場合は（ステップＳ１２５でＮ）、ステップＳ９１にリターンし、入力された場合は（ステップＳ１２５でＹ）、同じ建物内の他の場所で、警報発生データに示されている警報状態が、他の無線ユニット３に接続されたガス漏れ警報器４において発生したことを、ポートＰｉｏに接続されているガス漏れ警報器１において音声出力により報知させるための警報報知信号を生成して、ポートＰｉｏからガス漏れ警報器１に出力した後（ステップＳ１２７）、ステップＳ９１にリターンする。
【００４５】
以上の説明からも明らかなように、本実施形態の無線ユニット２では、テスト用警報開始データとテスト用警報終了データが請求項中のテスト用警報データに相当し、したがって、図８のフローチャートにおけるステップＳ９５乃至ステップＳ１０１の一連の処理が、請求項中のテスト送信手段Ａに対応する処理となっている。
【００４６】
また、本実施形態の無線ユニット２では、図８中のステップＳ１０３及びステップＳ１０５が、請求項中の受信強度報知手段Ｃに対応する処理となっている。
【００４７】
上述のように構成された本実施形態の自動連携システムでは、受信強度報知器５においてスタートスイッチ５１が操作されると、受信強度報知器５が接続された無線ユニット２以外の他の無線ユニット３に接続されたガス漏れ警報器４において、所定のテスト警報時間に亘ってテストの警報動作が、音声報知機能を用いて行われると共に、他の無線ユニット３における、スタートスイッチ５１が操作された無線ユニット２からの送信信号の受信強度が、無線ユニット２に接続された受信強度報知器５のブザー５３及びＬＥＤにおいて、所定のパターンの鳴動や点滅によって報知される。
【００４８】
なお、この受信強度の報知動作以外の、受信強度報知器５に代えてガス漏れ警報器１が接続された後の無線ユニット２の動作と、無線ユニット３の動作については、先に説明したとおりである。
【００４９】
このように構成された本実施形態の自動連携システムによれば、無線ユニット２，３自身に音声又は表示による報知機能を設けなくても、無線ユニット２から送信されるテスト用の信号の受信強度を、受信側の無線ユニット３で割り出して送信側の無線ユニット２に通知し、その無線ユニット２に接続された受信強度報知器５のブザー５３及びＬＥＤ５５を利用して報知することができる。
【００５０】
なお、受信強度報知器５にスタートスイッチ５１を設ける代わりに無線ユニット２にテスト通信スイッチＳＷを設け、その操作に伴って、受信強度報知器５が接続された無線ユニット２以外の他の無線ユニット３に接続されたガス漏れ警報器４において、所定のテスト警報時間に亘ってテストの警報動作が、音声報知機能を用いて行われると共に、他の無線ユニット３における、スタートスイッチ５１が操作された無線ユニット２からの送信信号の受信強度が、無線ユニット２に接続された受信強度報知器５のブザー５３及びＬＥＤにおいて、所定のパターンの鳴動や点滅によって報知されるように構成してもよい。
【００５１】
また、本実施形態では、設置された無線ユニット２に一時的に接続した受信強度報知器５において、無線ユニット３との無線通信によって求めた受信強度を報知する構成について説明したが、携帯端末装置を用いて、受信強度を求めるための無線ユニット３との無線通信を行うと共に、求めた受信強度の報知を行う構成とすることもできる。
【００５２】
以下、本発明の一実施形態に係る携帯無線端末装置を用いた自動連携システムについて、図１０のブロック図を参照して説明する。
【００５３】
本実施形態では、先に説明した実施形態における自動連携システムの、無線ユニット２とそれに接続したガス漏れ警報器１や受信感度報知器５の代わりに、携帯端末装置７が用いられる。
【００５４】
携帯端末装置７は、図１１に示すように、無線ユニット３の受信強度測定のスタート時に操作されるスタートスイッチ７１と、受信強度表示用のＬＥＤ７３及びそのドライバ７３ａと、受信強度の音声出力用のブザー７５及びそのドライバ７５ａと、無線ユニット９とを有している。
【００５５】
無線ユニット９は、図４に示す無線ユニット２からポートＰｉｏを省略して構成されており、スタートスイッチ７１、ドライバ７３ａ，７５ａ、及び、不揮発性メモリＮＶＭはマイコン部μＣＯＭに接続されている。
【００５６】
なお、不揮発性メモリＮＶＭには、無線ユニット２の不揮発性メモリＮＶＭに登録されているテーブルやデータに加えて、無線ユニット９が出力する受信強度信号のパルス波形パターンとそれにより示される無線ユニット３のテスト用警報データの受信強度の内容とを関連づけたテーブルが、予め登録されている。
【００５７】
そして、マイコン部μＣＯＭでは、内部のＲＯＭ（図示せず）に格納された制御プログラムにしたがって、図１２のフローチャートで示す処理が実行される。
【００５８】
まず、スタートスイッチ７１が操作されたか否かを確認し（ステップＳ１３１）、操作されていない場合は（ステップＳ１３１でＮ）、操作されるまでステップＳ１３１をリピートする。
【００５９】
一方、スタートスイッチ７１が操作された場合は（ステップＳ１３１でＹ）、他の無線ユニット３のポートＰｉｏに接続されているガス漏れ警報器４において、音声出力によるテストの警報の報知を開始させるためのテスト用警報開始データを、不揮発性メモリＮＶＭに登録された自己の識別情報と共に、変復調処理用デジタル処理回路部ＤＰにて変調して通信用高周波回路部ＲＦ乃至アンテナＡＴから無線送信させ（ステップＳ１３３）、不図示のＲＡＭに設けたタイマエリアにおけるタイムカウントを開始する（ステップＳ１３５）。
【００６０】
そして、タイムカウント値が所定のテスト警報時間（例えば１０秒）に達したか否かを確認し（ステップＳ１３７）、テスト警報時間に達していない場合は（ステップＳ１３７でＮ）、達するまでステップＳ１３７をリピートする。
【００６１】
これに対し、タイムカウント値がテスト警報時間に達した場合は（ステップＳ１３７でＹ）、他の無線ユニット３のポートＰｉｏに接続されているガス漏れ警報器４における、音声出力によるテストの警報の報知を終了させるためのテスト用警報終了データを、不揮発性メモリＮＶＭに登録された自己の識別情報と共に、変復調処理用デジタル処理回路部ＤＰにて変調して通信用高周波回路部ＲＦ乃至アンテナＡＴから無線送信させ（ステップＳ１３９）、不図示のＲＡＭに設けたタイマエリアにおけるタイムカウントを終了する（ステップＳ１４１）。
【００６２】
そして、テスト用警報開始データやテスト用警報終了データを受信した他の無線ユニット３からの、それらのデータの受信強度を示す受信強度データが、アンテナＡＴ乃至通信用高周波回路部ＲＦで受信され変復調処理用デジタル処理回路部ＤＰにて復調されて入力されたか否かを確認し（ステップＳ１４３）、入力されていない場合は（ステップＳ１４３でＮ）、入力されるまでステップＳ１４３をリピートする。
【００６３】
これに対し、他の無線ユニット３からの受信強度データが入力された場合は（ステップＳ１４３でＹ）、その受信強度データの示す、他の無線ユニット３におけるテスト用警報開始データやテスト用警報終了データの受信強度に応じたパターンでＬＥＤ７３を点滅させるための駆動信号をドライバ７３ａに出力させると共に、同様のパターンでブザー７５を鳴動させるための駆動信号をドライバ７５ａに出力させた後（ステップＳ１４５）、ステップＳ１３１にリターンする。
【００６４】
以上の説明からも明らかなように、本実施形態の携帯端末装置７では、テスト用警報開始データとテスト用警報終了データが請求項中のテスト用警報データに相当し、したがって、図１２のフローチャートにおけるステップＳ１３５乃至ステップＳ１４１の一連の処理が、請求項中のテスト送信手段Ａに対応する処理となっている。
【００６５】
また、本実施形態の無線ユニット２では、図１２中のステップＳ１４３及びステップＳ１４５が、請求項中の第２の受信強度報知手段Ｄに対応する処理となっており、無線ユニット３が請求項中の無線装置３に相当している。
【００６６】
上述のように構成された本実施形態の自動連携システムでは、携帯端末装置７においてスタートスイッチ７１が操作されると、受信強度報知器５が接続された無線ユニット２以外の他の無線ユニット３に接続されたガス漏れ警報器４において、所定のテスト警報時間に亘ってテストの警報動作が、音声報知機能を用いて行われると共に、他の無線ユニット３における、テスト通信スイッチＳＷが操作された無線ユニット３からの送信信号の受信強度が、無線ユニット２に接続された受信強度報知器５のブザー７３及びＬＥＤにおいて、所定のパターンの鳴動や点滅によって報知される。
【００６７】
なお、無線ユニット３の動作については、先の実施形態における自動連携システムと同様である。
【００６８】
このように構成された本実施形態の自動連携システムによれば、無線ユニット３自身に音声又は表示による報知機能を設けなくても、携帯端末装置７から送信されるテスト用の信号の受信強度を、受信側の無線ユニット３で割り出して携帯端末装置７に通知し、その携帯端末装置７のブザー７３及びＬＥＤ７５を利用して報知することができる。
【００６９】
しかも、先の実施形態の自動連携システムの場合のように、受信強度を求めるためのテスト通信を実行させるためのロジックを、本来のガス漏れ警報器１に関する無線通信に必要なロジックに加えて無線ユニット２に持たせる必要がないので、特殊仕様の無線ユニットを不要にできる点で、携帯端末装置７を用いる第３実施形態の自動連携システムは、第１実施形態や第２実施形態の自動連携システムの自動連携システムよりも有利といえる。
【００７０】
なお、本発明が適用される無線装置に接続される警報器や端末装置は、上述した実施形態に示したガス漏れ警報器１，４や火災警報器のような、警報状態の発生時に警報信号を出力するものに限定されず、例えば、内部の回路やセンサの故障状態を定期的に検出してその報知信号を無線装置（外部）に出力するような警報器や端末装置であってもよい。
【００７１】
また、警報器や端末装置が行う警報状態や故障状態の報知は、音声によるものに限らず表示等によるものであってもよく、そのような警報器や端末装置であっても本発明の適用対象となり得ることは、言うまでもない。
【００７２】
そして、上述した各実施形態では、ガス漏れ警報器１，４に無線ユニット２，３が外付けされている場合について説明したが、本発明は、ガス漏れ警報器等の警報器や端末装置と無線ユニットとが単一の筐体に収容されて内部で電気的に接続されている、物理的に警報器と一体化された無線装置についても、適用可能である。
【図面の簡単な説明】
【００７３】
【図１】本発明に係る無線装置の基本構成図である。
【図２】本発明に係る携帯無線端末装置の基本構成図である。
【図３】ガス漏れ警報器どうしを無線で相互に接続して無線通信を行う自動連携システムに本発明の一実施形態に係る無線装置を用いた場合の構成を示すブロック図である。
【図４】図３の自動連携システムにおける無線ユニットの構成例を示すブロック図である。
【図５】図４のガス漏れ警報器に代えて受信強度報知器を無線モデムに接続した状態を示すブロック図である。
【図６】図５の受信強度報知器の構成例を示すブロック図である。
【図７】図６の受信強度報知器のマイコン部が内部のＲＯＭに格納された制御プログラムにしたがって実行する処理を示すフローチャートである。
【図８】図５の無線ユニットのマイコン部が内部のＲＯＭに格納された制御プログラムにしたがって実行する処理を示すフローチャートである。
【図９】図５の無線ユニットのマイコン部が内部のＲＯＭに格納された制御プログラムにしたがって実行する処理を示すフローチャートである。
【図１０】本発明の一実施形態に係る携帯無線端末装置を用いた自動連携システムのブロック図である。
【図１１】図１０の携帯無線端末装置の構成例を示すブロック図である。
【図１２】図１１の無線ユニットのマイコン部が内部のＲＯＭに格納された制御プログラムにしたがって実行する処理を示すフローチャートである。
【符号の説明】
【００７４】
１  警報器
３  無線装置
４  警報器（端末装置）
Ａ  テスト送信手段
Ｂ  応答手段
Ｃ  受信強度報知手段
Ｄ  第２の受信強度報知手段
【図１】
2007104214.tif 000003
【図２】
2007104214.tif 000004
【図３】
2007104214.tif 000005
【図４】
2007104214.tif 000006
【図５】
2007104214.tif 000007
【図６】
2007104214.tif 000008
【図７】
2007104214.tif 000009
【図８】
2007104214.tif 000010
【図９】
2007104214.tif 000011
【図１０】
2007104214.tif 000012
【図１１】
2007104214.tif 000013
【図１２】
2007104214.tif 000014